(57)【要約】【課題】端末の操作者と本来の所有者が異なる場合には遠隔初期化を行わないようにする。【解決手段】携帯端末は、タッチパネル１０３に入力された暗証番号によりユーザを認証する。携帯端末１０は、ＳＩＭ１０９に記憶されているＳＩＭの識別情報と、記憶部１０２に記憶されている識別情報が異なる場合、遠隔初期化機能を無効に設定する。携帯端末１０は、遠隔初期化機能を無効にした後、ユーザを認証した場合、記憶部１０２に記憶されている識別情報を、自装置からアクセス可能なＳＩＭの識別情報で更新し、遠隔初期化機能を有効に設定する。【選択図】図２
2018093294.tif 000002
【特許請求の範囲】
【請求項１】
自装置に対応付けられたＳＩＭを一意に識別する識別情報を記憶する記憶部と、
自装置のユーザを認証する認証部と、
自装置からアクセス可能なＳＩＭの前記識別情報と、前記記憶部に記憶されている識別情報が異なる場合、遠隔初期化機能を無効とし、前記認証部によりユーザが認証された場合、前記記憶部に記憶されている前記識別情報を、自装置からアクセス可能なＳＩＭの識別情報で更新し、前記遠隔初期化機能を有効とする設定部
を備える情報処理装置。
【請求項２】
自装置の位置を特定する位置特定部を有し、
前記設定部は、前記認証部によりユーザが認証され、前記位置特定部が特定した位置が所定の位置である場合、前記記憶部に記憶されている前記識別情報を、自装置からアクセス可能なＳＩＭの識別情報で更新し、前記遠隔初期化機能を有効とする
請求項１に記載の情報処理装置。
【請求項３】
前記設定部は、自装置からアクセス可能なＳＩＭの契約者を識別する契約者情報を取得し、前記認証部によりユーザが認証され、取得した前記契約者情報が示す契約者が予め定められた契約者である場合、前記記憶部に記憶されている前記識別情報を、自装置からアクセス可能なＳＩＭの識別情報で更新し、前記遠隔初期化機能を有効とする
請求項１に記載の情報処理装置。
【請求項４】
前記設定部は、前記認証部によりユーザが認証され、自装置が所定の他装置に接続している場合、前記記憶部に記憶されている前記識別情報を、自装置からアクセス可能なＳＩＭの識別情報で更新し、前記遠隔初期化機能を有効とする
請求項１に記載の情報処理装置。
【請求項５】
前記記憶部は、前記認証部により認証されたユーザの操作の特徴を記憶し、
前記設定部は、前記認証部によりユーザが認証され、認証されたユーザの操作の特徴が前記記憶部に記憶されている特徴と異なる場合、前記遠隔初期化機能を無効とする
請求項１に記載の情報処理装置。
【請求項６】
前記記憶部は、内容が異なる前記識別情報を複数記憶し、
前記設定部は、前記認証部によりユーザが認証された場合、前記記憶部に記憶されている複数の前記識別情報の中に、自装置からアクセス可能なＳＩＭの識別情報がある場合、前記遠隔初期化機能を有効とする
請求項１に記載の情報処理装置。
【請求項７】
コンピュータを、
自装置のユーザを認証する認証部と、
自装置からアクセス可能なＳＩＭを一意に識別する識別情報と、前記識別情報を記憶する記憶部に記憶されている識別情報が異なる場合、遠隔初期化機能を無効とし、前記認証部によりユーザが認証された場合、前記記憶部に記憶されている前記識別情報を、自装置からアクセス可能なＳＩＭの識別情報で更新し、前記遠隔初期化機能を有効とする設定部
として機能させるためのプログラム。
【発明の詳細な説明】
【技術分野】
【０００１】
本発明は、情報処理装置およびプログラムに関する。
【背景技術】
【０００２】
特許文献１（特開２００７−２０１８８３号公報）には、移動端末の識別情報とＳＩＭ（Subscriber Identity Module）のアドレスとの組み合わせを通信網上のデータベースに記憶し、移動端末に装着されているＳＩＭのアドレスがデータベースに記憶されているアドレス以外のアドレスである場合、データの削除などの初期化処理を含む安全確保処理を遠隔操作により行うことが記載されている。
【先行技術文献】
【特許文献】
【０００３】
【特許文献１】特開２００７−２０１８８３号公報
【発明の概要】
【発明が解決しようとする課題】
【０００４】
特許文献１の発明の場合、例えば、本来の所有者以外の者による操作を画面のロック機能で防止していたとしても、端末を窃盗された場合、本来の所有者の遠隔操作による初期化が行われる前に窃盗した者のＳＩＭに差し替えられ、データベースにおいてアドレスが更新される前に窃盗した者からの遠隔操作が行われると、端末の本来の所有者でない者でも初期化が行われてしまう。
【０００５】
本発明は、ＳＩＭの差し替えが行われた場合、端末の操作者と本来の所有者が異なる場合には遠隔操作による初期化が行われないようにすることを目的とする。
【課題を解決するための手段】
【０００６】
本発明は、自装置に対応付けられたＳＩＭを一意に識別する識別情報を記憶する記憶部と、自装置のユーザを認証する認証部と、自装置からアクセス可能なＳＩＭの前記識別情報と、前記記憶部に記憶されている識別情報が異なる場合、遠隔初期化機能を無効とし、前記認証部によりユーザが認証された場合、前記記憶部に記憶されている前記識別情報を、自装置からアクセス可能なＳＩＭの識別情報で更新し、前記遠隔初期化機能を有効とする設定部を備える情報処理装置を提供する。
【０００７】
本発明においては、自装置の位置を特定する位置特定部を有し、前記設定部は、前記認証部によりユーザが認証され、前記位置特定部が特定した位置が所定の位置である場合、前記記憶部に記憶されている前記識別情報を、自装置からアクセス可能なＳＩＭの識別情報で更新し、前記遠隔初期化機能を有効とする構成であってもよい。
【０００８】
また、本発明においては、前記設定部は、自装置からアクセス可能なＳＩＭの契約者を識別する契約者情報を取得し、前記認証部によりユーザが認証され、取得した前記契約者情報が示す契約者が予め定められた契約者である場合、前記記憶部に記憶されている前記識別情報を、自装置からアクセス可能なＳＩＭの識別情報で更新し、前記遠隔初期化機能を有効とする構成であってもよい。
【０００９】
また、本発明においては、前記設定部は、前記認証部によりユーザが認証され、自装置が所定の他装置に接続している場合、前記記憶部に記憶されている前記識別情報を、自装置からアクセス可能なＳＩＭの識別情報で更新し、前記遠隔初期化機能を有効とする構成であってもよい。
【００１０】
また、本発明においては、前記記憶部は、前記認証部により認証されたユーザの操作の特徴を記憶し、前記設定部は、前記認証部によりユーザが認証され、認証されたユーザの操作の特徴が前記記憶部に記憶されている特徴と異なる場合、前記遠隔初期化機能を無効とする構成であってもよい。
【００１１】
また、本発明においては、前記記憶部は、内容が異なる前記識別情報を複数記憶し、前記設定部は、前記認証部によりユーザが認証された場合、前記記憶部に記憶されている複数の前記識別情報の中に、自装置からアクセス可能なＳＩＭの識別情報がある場合、前記遠隔初期化機能を有効とする構成であってもよい。
【００１２】
また、本発明においては、コンピュータを、自装置のユーザを認証する認証部と、自装置からアクセス可能なＳＩＭを一意に識別する識別情報と、前記識別情報を記憶する記憶部に記憶されている識別情報が異なる場合、遠隔初期化機能を無効とし、前記認証部によりユーザが認証された場合、前記記憶部に記憶されている前記識別情報を、自装置からアクセス可能なＳＩＭの識別情報で更新し、前記遠隔初期化機能を有効とする設定部として機能させるためのプログラムを提供する。
【発明の効果】
【００１３】
本発明によれば、端末の操作者と本来の所有者が異なる場合には遠隔操作による初期化が行われないようにすることができる。
【図面の簡単な説明】
【００１４】
【図１】本発明の一実施形態に係る通信システム１に含まれる装置を示した図。
【図２】携帯端末１０のハードウェア構成の一例を示した図。
【図３】携帯端末１０の機能ブロック図。
【図４】サーバ装置２０のハードウェア構成の一例を示した図。
【図５】サーバ装置２０の機能ブロック図。
【図６】制御部１０１が行う処理の流れを示したフローチャート。
【図７】携帯端末１０を紛失したときに行う処理の流れを示したシーケンス図。
【図８】制御部１０１が行う処理の流れを示したフローチャート。
【図９】制御部１０１が行う処理の流れを示したフローチャート。
【発明を実施するための形態】
【００１５】
［実施形態］
（全体構成）
図１は、本発明の一実施形態に係る通信システム１に含まれる装置を示した図である。通信網２は、インターネットや固定電話網、音声通信やデータ通信などの通信サービスを提供する移動体通信網などを含む。通信網２には、携帯端末１０が無線通信によって接続される。また、通信網２には、有線でサーバ装置２０とＰＣ（Personal Computer）３０が接続されている。
【００１６】
本実施形態に係る携帯端末１０は、スマートフォンである。なお、携帯端末１０は、スマートフォンに限定されるものではなく、データ通信が可能なタブレット端末やフィーチャーフォン、データ通信に特化したコンピュータ装置などであってもよい。携帯端末１０は、通信網２を構成する無線基地局と通信を行い、音声通信やデータ通信を行う。通信網２にアクセスする携帯端末１０の数は、図１に示した数に限定されるものではなく、図１に示した数以上の装置を接続することができる。携帯端末１０は、通信網２を介して送信される外部からの指示に応じて自身の初期化を行う遠隔初期化機能や、電源をオンにするときやスリープ状態から復帰する際に画面をロックする機能を備える。画面のロックは、予め設定した暗証番号を入力することにより解除され、携帯端末１０は、画面のロックを解除するとホーム画面を表示する。
【００１７】
ＰＣ３０は、携帯端末１０のユーザが操作するコンピュータ装置である。離れた場所にある携帯端末１０を初期化する場合、ユーザはＰＣ３０を操作してサーバ装置２０へアクセスし、初期化を行うための操作をＰＣ３０に対して行う。サーバ装置２０は、携帯端末１０へ初期化の指示を送信する装置である。サーバ装置２０は、ＰＣ３０で行われた操作に応じて、ユーザが所有する携帯端末１０へ初期化の実行を指示する。
【００１８】
（携帯端末１０の構成）
図２は、携帯端末１０のハードウェア構成の一例を示した図である。通信部１０５は、有線および／または無線ネットワークを介してコンピュータ間の通信を行うためのハードウェア（送受信デバイス）であり、例えばネットワークデバイス、ネットワークコントローラ、ネットワークカード、通信モジュールなどともいう。通信部１０５は、通信網２の無線基地局や無線ＬＡＮ（Local Area Network）のアクセスポイントに対して無線通信を行う。また、通信部１０５は、近距離無線通信やケーブルを介した通信の通信インターフェースとしても機能する。通信部１０５は、近距離無線通信として、Ｂｌｕｅｔｏｏｔｈ（登録商標）の通信や赤外線による通信を行うことができる。
【００１９】
音声処理部１０７は、マイクロフォンとスピーカーを有している。音声処理部１０７は、携帯端末１０同士が音声通話を行う場合、通話相手の音声に係るデジタル信号が通信部１０５から供給されると、供給されたデジタル信号をアナログ信号に変換する。このアナログ信号は、スピーカーへ供給され、スピーカーからは、通話相手の音声が放音される。また、音声処理部１０７は、マイクロフォンが音声を収音すると、収音した音声をデジタル信号に変換する。音声処理部１０７は、携帯端末で音声通話を行う場合、ユーザの音声を変換したデジタル信号を通信部１０５へ供給する。このデジタル信号は、通信部１０５から通信網２へ送信され、通話相手の携帯端末へ送信される。
【００２０】
測位部１０８は、衛星航法システムの電波を受信するアンテナを備えており、受信した電波に基づいて携帯端末１０の位置の緯度および経度を測位し、測位した位置を表す位置情報を制御部１０１へ出力する。測位部１０８は、携帯端末１０の位置を特定する位置特定部の一例である。
【００２１】
ＳＩＭ１０９は、移動体通信網が提供する通信サービスの利用者を一意に特定するための識別子を記憶したモジュールである。ＳＩＭ１０９は、識別子としてＩＣＣＩＤ（Integrated Circuit Card ID）やＩＭＳＩ（International Mobile Subscriber Identity）、ユーザに付与された電話番号などを記憶している。携帯端末１０は、ＳＩＭ１０９が挿入されるスロット１０６（被装着部の一例）を有している。このスロット１０６へユーザに付与されたＳＩＭ１０９を挿入すると、携帯端末１０は、移動体通信網を介した通信を行うことが可能となる。
【００２２】
タッチパネル１０３は、液晶ディスプレイなどの表示装置と、表示装置の表示面において指の接触を検出するセンサとを組み合わせた装置であり、ユーザにより操作される操作部の一例である。タッチパネル１０３は、文字やＧＵＩ（Graphical User Interface）、携帯端末１０を操作するためのメニュー画面などを表示する。また、タッチパネル１０３は、ユーザが指で触れた位置をセンサで検出する。制御部１０１は、タッチパネル１０３が検出した位置と、タッチパネルに表示されている画面に応じてユーザの操作を特定し、特定した操作に応じて各部の制御や各種処理を実行する。
【００２３】
記憶部１０２は、不揮発性メモリを有しており、オペレーティングシステムのプログラムやアプリケーションプログラムを記憶する。本実施形態においては、記憶部１０２は、サーバ装置２０からの指示に応じて自身の初期化を行う遠隔初期化機能を実現するアプリケーションプログラム（以下、初期化アプリと称する）を記憶している。また、記憶部１０２は、ＳＩＭ１０９に記憶されている識別子を記憶する。更に記憶部１０２は、端末装置１０のユーザを認証するための暗証番号を記憶する。
【００２４】
制御部１０１は、ＣＰＵ（Central Processing Unit）やＲＡＭ（Random Access Memory）を有している。ＣＰＵが記憶部１０２に記憶されているオペレーティングシステムのプログラムを実行すると、スマートフォンのオペレーティングシステムが実現し、アプリケーションプログラムを実行することが可能となる。携帯端末１０において実現する機能は、ＣＰＵ、ＲＡＭなどのハードウェア上に所定のソフトウェア（プログラム）を読み込ませることで、ＣＰＵが演算を行い、通信部１０５による通信や、ＲＡＭおよび記憶部１０２におけるデータの読み出しおよび／または書き込みを制御することで実現される。
【００２５】
図３は、携帯端末１０において実現する機能のうち、本発明に係る機能の構成を示したブロック図である。認証部１００１は、タッチパネル１０３に入力される暗証番号と、記憶部１０２に記憶されている暗証番号に基づいてユーザを認証する。認証部１００１は、タッチパネル１０３に入力された暗証番号と記憶部１０２に記憶されている暗証番号が一致した場合、画面のロックを解除する。認証部１００１は、タッチパネル１０３に入力された暗証番頭と記憶部１０２に記憶されている暗証番号が一致しない場合、画面のロックを解除しない。設定部１００２は、遠隔初期化機能の有効／無効を設定する。初期化部１００３は、サーバ装置２０から送られたメッセージを、通信部１０５を介して取得し、取得したメッセージに応じて携帯端末１０の初期化を行う。
【００２６】
（サーバ装置２０の構成）
図４は、サーバ装置２０のハードウェア構成を示した図である。通信部２０５は、有線および／または無線ネットワークを介してコンピュータ間の通信を行うためのハードウェア（送受信デバイス）であり、例えばネットワークデバイス、ネットワークコントローラ、ネットワークカード、通信モジュールなどともいう。通信部２０５は、通信網２を介してデータ通信を行う通信インターフェースとして機能する。記憶部２０２は、ハードディスク装置を有しており、オペレーティングシステムのプログラムや、アプリケーションプログラムなどを記憶している。本実施形態においては、記憶部２０２は、携帯端末１０の初期化の指示をＰＣ３０からのアクセスに応じて携帯端末１０へ送信する機能を実現するアプリケーションプログラムを記憶している。また、記憶部２０２は、携帯端末１０のユーザに付与されている電話番号と、端末装置１０の所有者であるユーザを認証するためのユーザＩＤおよびパスワードを対応付けて記憶する。制御部２０１は、ＣＰＵ、ＲＡＭ、ブートローダを記憶したＲＯＭを有している。ＣＰＵが記憶部２０２に記憶されているオペレーティングシステムのプログラムを実行すると、アプリケーションプログラムを実行することが可能となる。サーバ装置２０において実現する機能は、ＣＰＵ、ＲＡＭなどのハードウェア上に所定のソフトウェア（プログラム）を読み込ませることで、ＣＰＵが演算を行い、通信部２０５による通信や、ＲＡＭおよび記憶部２０２におけるデータの読み出しおよび／または書き込みを制御することで実現される。
【００２７】
図５は、サーバ装置２０においてアプリケーションプログラムを実行することにより実現する機能の構成を示したブロック図である。認証部２００１は、ＰＣ３０から送られたユーザＩＤおよびパスワードと、記憶部２０２に記憶されているユーザＩＤおよびパスワードに基づいて、サーバ装置２０を利用可能な者（即ち、端末装置１０の所有者であるユーザ）を認証する。認証部２００１は、ＰＣ３０から送られたユーザＩＤとパスワードの組と、記憶部２０２に記憶されているユーザＩＤとパスワードの組が一致した場合、ＰＣ３０のユーザを、サーバ装置２０を利用可能な者と判断する。メッセージ送信部２００２は、ＰＣ３０から送られた初期化の実行を指示するメッセージを通信部２０５を介して受信すると、認証されたユーザに対応したＳＩＭ１０９が装着されている携帯端末１０へ、初期化を指示するメッセージを送信する。
【００２８】
（実施形態の動作例）
次に本実施形態の動作の一例について説明する。なお、以下の説明においては、携帯端末１０のユーザに付与された電話番号と、端末装置１０の所有者であるユーザを認証するためのユーザＩＤおよびパスワードが予め記憶部２０２に記憶されているものとする。
【００２９】
まず、携帯端末１０を購入したユーザは、ＳＩＭ１０９を携帯端末１０のスロット１０６に挿入する。スロット１０６にＳＩＭ１０９を挿入することにより、携帯端末１０は、移動体通信網を介した通信を行うことが可能となる。ユーザは、携帯端末１０を盗まれた場合に備えて、遠隔初期化機能を有効にする。具体的には、ユーザは、初期化アプリの実行を指示する操作をタッチパネル１０３において行う。制御部１０１は、初期化アプリの実行を指示する操作がタッチパネル１０３において行われると、記憶部１０２に記憶されている初期化アプリを実行する。初期化アプリは、実行を指示されると常駐する。初期化アプリは、常駐の状態となった後は、電源がオフからオンになるときに自動的に実行される。
【００３０】
図６は、初期化アプリを実行したときに制御部１０１が行う処理の流れを示したフローチャートである。制御部１０１は、初期化アプリを実行すると、ＩＭＳＩが記憶部１０２に記憶されているか判断する（ステップＳＡ１）。制御部１０１は、ＩＭＳＩが記憶部１０２に記憶されていない場合（ステップＳＡ１でＮＯ）、初期化アプリが初めて実行され、遠隔初期化機能の設定がなされていないと判断する。制御部１０１は、遠隔初期化機能の設定がなされていないと判断した場合、ＳＩＭ１０９に記憶されているＩＭＳＩを取得し、取得したＩＭＳＩを記憶部１０２に記憶させる（ステップＳＡ２）。また、制御部１０１は、遠隔初期化機能を有効に設定し、遠隔初期化機能が有効であることを表す状態データを記憶部１０２に記憶させる（ステップＳＡ３）。
【００３１】
図７は、ユーザが携帯端末１０を紛失したときに行う処理の流れを示したシーケンス図である。ユーザは、携帯端末１０を紛失した場合、携帯端末１０に記憶されているアドレス帳や写真などが他人に取得されないようにするため、携帯端末１０の初期化を行う。具体的には、ユーザは、ＰＣ３０を操作し、ＰＣ３０で実行されているＷｅｂブラウザでサーバ装置２０へアクセスする（ステップＳＢ１）。サーバ装置２０は、ＰＣ３０からアクセスされると、ユーザを認証するためのＷｅｂページのデータをＰＣ３０へ送信する（ステップＳＢ２）。このＷｅｂページは、ユーザＩＤとパスワードを入力するためのＧＵＩ（Graphical User Interface）や、入力されたユーザＩＤとパスワードをサーバ装置２０へ送信するためのＧＵＩを有する。ＰＣ３０は、サーバ装置２０から送信されたデータが表すＷｅｂページを表示する（ステップＳＢ３）。ユーザは、表示されたＷｅｂページに自身のユーザＩＤとパスワードを入力し、入力したユーザＩＤとパスワードを送信する操作を行う。制御部１０１は、ユーザＩＤとパスワードを送信する操作が行われると、Ｗｅｂページに入力されたユーザＩＤとパスワードをサーバ装置２０へ送信する（ステップＳＢ４）。
【００３２】
サーバ装置２０は、ＰＣ３０から送信されたユーザＩＤとパスワードを取得する。サーバ装置２０は、取得したユーザＩＤとパスワードの組と、記憶部２０２に記憶されているユーザＩＤとパスワードの組を照合することによりユーザの認証処理を行う（ステップＳＢ５）。サーバ装置２０は、取得したユーザＩＤとパスワードの組が記憶部２０２に記憶されている場合、ＰＣ３０のユーザは、サーバ装置２０の利用を許可されたユーザであると判断する。サーバ装置２０は、ＰＣ３０のユーザが、サーバ装置２０の利用を許可されたユーザである場合、携帯端末１０の初期化を行うためのＧＵＩを有するＷｅｂページのデータをＰＣ３０へ送信する（ステップＳＢ６）。
【００３３】
ＰＣ３０は、サーバ装置２０から送信されたデータが表すＷｅｂページを表示する（ステップＳＢ７）。このＷｅｂページは、「初期化を行う」というボタンのＧＵＩと、「初期化を行わない」というボタンのＧＵＩを有する。このＷｅｂページに表示された「初期化を行う」のボタンをクリックする操作をユーザが行うと、ＰＣ３０は、初期化の実行を指示するメッセージをサーバ装置２０へ送信する（ステップＳＢ８）。サーバ装置２０は、初期化の実行を指示するメッセージを受信すると、受信したＰＣ３０のユーザのユーザＩＤおよびパスワードと対応付けて記憶されている電話番号を記憶部２０２から取得する。サーバ装置２０は、電話番号を取得すると、初期化を指示する初期化メッセージを、取得した電話番号を宛先としてＳＭＳ（Short Message Service）により送信する（ステップＳＢ９）。この初期化メッセージは、制御型のメッセージであり、携帯端末１０を遠隔制御するためのメッセージである。
【００３４】
紛失した携帯端末１０において、ＳＩＭ１０９が交換されていない場合、サーバ装置２０が送信した初期化メッセージを携帯端末１０が受信する。図８は、初期化メッセージを受信したときに制御部１０１が行う処理の流れを示したフローチャートである。制御部１０１は、初期化メッセージを受信すると、遠隔初期化機能が有効となっているか判断する（ステップＳＣ１）。制御部１０１は、遠隔初期化機能が有効となっている場合（ステップＳＣ１でＹＥＳ）、携帯端末１０の初期化処理を行う（ステップＳＣ２）。なお、初期化メッセージを取得した制御部１０１は、ＳＩＭ１０９に記憶されているＩＭＳＩと、記憶部１０２に記憶されたＩＭＳＩが同じであり、且つ遠隔初期化機能が有効となっている場合に、携帯端末１０の初期化を行うようにしてもよい。
【００３５】
このように本実施形態によれば、携帯端末１０においては、初期化アプリを起動させるだけで初期化の準備を行うことが可能であり、初期化の際には、サーバ装置２０によるユーザの認証と、Ｗｅｂページの操作だけで携帯端末１０の初期化を行うことができる。
【００３６】
次に、携帯端末１０の本来のユーザによって遠隔初期化機能が有効にされた後にＳＩＭ１０９が差し替えられたときの動作例について説明する。ＳＩＭ１０９を差し替えるときには、携帯端末１０の電源をオフにした状態でＳＩＭ１０９を差し替える。ＳＩＭ１０９を差し替えた後に携帯端末１０の電源をオンにすると、制御部１０１は、初期化アプリを実行し、ステップＳＡ１の処理を行う。制御部１０１は、ＳＩＭ１０９が差し替えられる前に初期化アプリが実行されてＩＭＳＩが記憶部１０２に記憶されている場合（ステップＳＡ１でＹＥＳ）、記憶部１０２に記憶されている状態データを取得する（ステップＳＡ４）。制御部１０１は、取得した状態データが、遠隔初期化機能が有効であることを表しているか判断する（ステップＳＡ５）。制御部１０１は、遠隔初期化機能が有効であることを取得した状態データが表している場合（ステップＳＡ５でＹＥＳ）、スロット１０６に装着されているＳＩＭ１０９に記憶されているＩＭＳＩと、記憶部１０２に記憶されているＩＭＳＩが同じであるか判断する（ステップＳＡ６）。ＳＩＭ１０９が差し替えられた場合、ＳＩＭ１０９に記憶されているＩＭＳＩと、記憶部１０２に記憶されているＩＭＳＩが異なるため（ステップＳＡ６でＮＯ）、制御部１０１は、遠隔初期化機能を無効に設定し、遠隔初期化機能が無効であることを表す状態データを記憶部１０２に記憶させる（ステップＳＡ７）。
【００３７】
例えば、携帯端末１０が窃盗され、窃盗した者が携帯端末１０を使用するためにＳＩＭ１０９を差し替えた場合、携帯端末１０は、上述したように電源がオンとなると遠隔初期化機能が無効となる。この場合、窃盗をした者がサーバ装置２０へアクセスし、窃盗した者のＳＩＭ１０９が装着されている携帯端末１０へ初期化メッセージが送信されても、携帯端末１０においては遠隔初期化機能が無効となっているため、携帯端末１０の初期化が行われない。携帯端末１０において初期化が行われないため、電源をオンにするときやスリープ状態から復帰する際には画面にロックがかかり、暗証番号を知り得ていない者、即ち、携帯端末１０の本来の所有者ではない者は、画面のロックを解除することができず、携帯端末１０を使用することができない。携帯端末１０を窃盗した者は、携帯端末１０の初期化を行うことや、画面のロックの解除を行うことができないため、端末を不正に使用することができない。また、携帯端末１０の初期化を行うことや、画面のロックの解除を行うことができないため、転売することが難しくなり、転売されにくくすることができる。
【００３８】
次に、携帯端末１０のユーザが、ＳＩＭ１０９を複数所有し、ＳＩＭ１０９を差し替えるときの動作例について説明する。ＳＩＭ１０９を差し替えた後に携帯端末１０の電源をオンにすると、制御部１０１は、初期化アプリを実行し、ステップＳＡ１の処理を行う。制御部１０１は、ＳＩＭ１０９が差し替えられる前に初期化アプリが実行されてＩＭＳＩが記憶部１０２に記憶されている場合（ステップＳＡ１でＹＥＳ）、記憶部１０２に記憶されている状態データを取得する（ステップＳＡ４）。制御部１０１は、取得した状態データが、遠隔初期化機能が有効であることを表しているか判断する（ステップＳＡ５）。制御部１０１は、遠隔初期化機能が有効であることを取得した状態データが表している場合（ステップＳＡ５でＹＥＳ）、スロット１０６に装着されているＳＩＭ１０９に記憶されているＩＭＳＩと、記憶部１０２に記憶されているＩＭＳＩが同じであるか判断する（ステップＳＡ６）。制御部１０１は、ＳＩＭ１０９に記憶されているＩＭＳＩと、記憶部１０２に記憶されているＩＭＳＩが異なる場合（ステップＳＡ６でＮＯ）、遠隔初期化機能を無効に設定し、遠隔初期化機能が無効であることを表す状態データを記憶部１０２に記憶させる（ステップＳＡ７）。
【００３９】
ＳＩＭ１０９を差し替えたユーザは、画面のロックを解除するため、予め設定した暗証番号をタッチパネル１０３において入力する。初期化アプリを実行している制御部１０１は、入力された暗証番号と記憶部１０２に記憶している暗証番号が同じである場合、図９に示した処理を行う。まず、制御部１０１は、スロット１０６に装着されているＳＩＭ１０９に記憶されているＩＭＳＩを取得し、記憶部１０２に記憶されているＩＭＳＩを、取得したＩＭＳＩで更新する（ステップＳＤ１）。また、制御部１０１は、遠隔初期化機能を有効に設定し、遠隔初期化機能が有効であることを表す状態データを記憶部１０２に記憶させる（ステップＳＤ２）。そして制御部１０１は、画面のロックを解除してホーム画面を表示する。画面のロックが解除されると、ユーザは、携帯端末１０を使用することが可能となり、ＳＩＭ１０９に記憶されている電話番号で音声通信を行うことができる。
【００４０】
このように本実施形態においては、画面のロックを解除できるユーザ、即ち、携帯端末１０の本来のユーザが携帯端末１０を操作する場合には、ＳＩＭ１０９を差し替えても遠隔初期化機能が無効とならず、ＰＣ３０から携帯端末１０の初期化を行うことができる。
【００４１】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態および以下の変形例は、各々を組み合わせてもよい。
【００４２】
本発明においては、測位部１０８が測位して得た位置情報に応じて遠隔初期化機能の有効／無効を設定してもよい。例えば、端末装置１０において、ユーザの自宅またはユーザが普段移動する位置を記憶部１０２に記憶させる。制御部１０１は、遠隔初期化機能が有効に設定されており、測位部１０９が得た位置情報の表す位置が、記憶部１０２に記憶されている位置情報の表す位置から予め定められた範囲内である場合、遠隔初期化機能を有効とする。また、制御部１０１は、遠隔初期化機能が有効に設定されており、記憶部１０２に記憶されている位置情報の表す位置から予め定められた範囲内に測位部１０９が得た位置情報の表す位置が入っていない場合、遠隔初期化機能を無効とする。
【００４３】
この変形例によれば、窃盗されてＳＩＭ１０９が差し替えられた携帯端末１０は、携帯端末１０の本来のユーザが移動する場所以外の場所では初期化を行わないため、携帯端末１０を窃盗した者は、携帯端末１０の初期化を行うことができず、本来の所有者以外による携帯端末１０の使用を防ぐことができる。なお、本変形例においては、携帯端末１０の位置が予め定められた位置であるか否かの判断を、画面のロックが解除された後に行うようにしてもよい。
【００４４】
本発明においては、ＳＩＭ１０９のＩＭＳＩと、ＳＩＭ１０９の契約者を識別する契約者情報（例えば氏名）を対応付けてサーバ装置２０に記憶させ、端末装置１０において、端末装置１０を利用可能な者を識別する利用者情報（例えば氏名）を記憶部１０２に記憶させるようにしてもよい。本変形例においては、例えば、電源がオンにされた場合、制御部１０１は、装着されているＳＩＭ１０９に記憶されているＩＭＳＩをサーバ装置２０へ送信する。サーバ装置２０は、送信されたＩＭＳＩに対応付けて記憶されている契約者情報を端末装置１０へ送信する。制御部１０１は、記憶部１０２に記憶されている利用者情報の中に、サーバ装置２０から送信された契約者情報と一致する利用者情報がある場合、遠隔初期化機能を有効とし、一致する情報がない場合、遠隔初期化機能を無効とする。
【００４５】
この変形例によれば、窃盗されてＳＩＭ１０９が差し替えられた携帯端末１０に対して、携帯端末１０の本来のユーザ以外の者では初期化を行うことができないため、携帯端末１０を窃盗した者は、携帯端末１０の初期化を行うことができず、本来の所有者以外による携帯端末１０の使用を防ぐことができる。
【００４６】
本発明においては、携帯端末１０がアクセス可能な無線ＬＡＮのアクセスポイントの通信エリア内に携帯端末１０が位置しているか否かに応じて、遠隔初期化機能の有効／無効を設定してもよい。例えば、携帯端末１０において、携帯端末１０がアクセス可能であるユーザの自宅、職場または普段使用する場所に設置されているアクセスポイントの識別子を記憶部１０２に記憶させる。アクセスポイントの識別子としては、例えば、ＢＳＳＩＤ、ＥＳＳＩＤ、ＳＳＩＤなどがある。制御部１０１は、遠隔初期化機能が有効に設定されており、アクセス可能なアクセスポイントの識別子が、記憶部１０２に記憶されているアクセスポイントの識別子と同じである場合、遠隔初期化機能を有効とする。また、制御部１０１は、遠隔初期化機能が有効に設定されており、アクセス可能なアクセスポイントの識別子が、記憶部１０２に記憶されているアクセスポイントの識別子とは異なる場合、またはアクセス可能なアクセスポイントがない場合、遠隔初期化機能を無効とする。この変形例によれば、窃盗されてＳＩＭ１０９が差し替えられた携帯端末１０は、特定のアクセスポイントの通信エリア以外の場所では初期化を行わないため、携帯端末１０を窃盗した者は、携帯端末１０の初期化を行うことができず、本来の所有者以外による携帯端末１０の使用を防ぐことができる。
【００４７】
本発明においては、携帯端末１０は、通信可能な外部機器との接続に応じて、遠隔初期化機能の有効／無効を設定してもよい。例えば、制御部１０１は、遠隔初期化機能が有効に設定されており、Ｂｌｕｅｔｏｏｔｈで予めペアリングされた外部機器を検出し、検出した外部機器に接続した場合、遠隔初期化機能を有効とする。また、制御部１０１は、遠隔初期化機能が有効に設定されており、Ｂｌｕｅｔｏｏｔｈで予めペアリングされた外部機器を検出できない場合、遠隔初期化機能を無効とする。この変形例によれば、窃盗されてＳＩＭ１０９が差し替えられた携帯端末１０は、本来のユーザが所有する外部機器へ接続できない場合には初期化を行わないため、携帯端末１０を窃盗した者は、携帯端末１０の初期化を行うことができず、本来の所有者以外による携帯端末１０の使用を防ぐことができる。
【００４８】
本発明においては、携帯端末１０で行われるユーザの操作の特徴を特定し、特定した特徴に応じて、遠隔初期化機能の有効／無効を設定してもよい。本変形例においては、制御部１０１は、ユーザが同じ時間帯で同じアプリケーションプログラムの実行を指示する操作を行う場合、この時間帯と、この時間帯で実行するアプリケーションプログラムのプログラム名をユーザの操作の特徴として記憶部１０２に記憶させる。例えば、朝の７時台に天気予報のアプリケーションプログラムを実行するという操作を、ユーザが複数の日で行った場合、７時台という時間帯と、天気予報のアプリケーションプログラムのプログラム名を記憶部１０２に記憶させる。
【００４９】
ユーザの操作の特徴を記憶部１０２に記憶させた後、制御部１０１は、画面のロックが解除され、朝の７時台に天気予報のアプリケーションプログラムが実行された場合、記憶している操作の特徴と、携帯端末１０において行われた操作が一致するため、遠隔初期化機能を有効とする。また、制御部１０１は、画面のロックが解除され、朝の７時台に天気予報のアプリケーションプログラムが実行されない場合は、記憶している操作の特徴と、携帯端末１０において行われた操作が一致しないため、遠隔初期化機能を無効とする。この変形例によれば、窃盗されてＳＩＭ１０９が差し替えられた携帯端末１０は、本来のユーザが行う操作が行われない場合には初期化を行わないため、携帯端末１０を窃盗した者は、携帯端末１０の初期化を行うことができず、本来の所有者以外による携帯端末１０の使用を防ぐことができる。
【００５０】
本発明においては、端末装置１０の設定が変更されたか否かに応じて、遠隔初期化機能の有効／無効を設定してもよい。例えば、制御部１０１は、画面のロックが解除され、遠隔初期化機能が有効に設定されており、通信の設定、画面の設定、通話の設定、音と通知の設定などのいずれかの設定を変更する操作が行われるまでは、遠隔初期化機能を有効とする。また、制御部１０１は、画面のロックが解除され、遠隔初期化機能が有効に設定されており、通信の設定、画面の設定、通話の設定、音と通知の設定などのいずれかの設定を変更する操作が行われた場合、遠隔初期化機能を無効とする。この変形例によれば、窃盗されてＳＩＭ１０９が差し替えられた携帯端末１０は、窃盗をした者が携帯端末１０の設定を変更すると、初期化を行わないようになるため、携帯端末１０を窃盗した者は、携帯端末１０の初期化を行うことができず、本来の所有者以外による携帯端末１０の使用を防ぐことができる。
【００５１】
本発明においては、携帯端末１０で実行を指示されるアプリケーションプログラムに応じて、遠隔初期化機能の有効／無効を設定してもよい。例えば、制御部１０１は、画面のロックが解除された直後に実行を指示される頻度が高いアプリケーションプログラムのプログラム名を記憶部１０２に記憶させる。制御部１０１は、ＳＩＭ１０９が差し替えられた後に画面のロックが解除され、実行を指示されたアプリケーションプログラムのプログラム名が、記憶部１０２に記憶されているプログラム名と異なる場合、遠隔初期化機能を無効とする。この変形例によれば、窃盗されてＳＩＭ１０９が差し替えられた携帯端末１０は、本来のユーザが行う操作が行われない場合には初期化を行わないため、携帯端末１０を窃盗した者は、携帯端末１０の初期化を行うことができず、本来の所有者以外による携帯端末１０の使用を防ぐことができる。
【００５２】
ユーザは、インターネットを利用したサービスを使用するためのアカウントを有し、サービスを使用するためのアカウント名を携帯端末１０に設定し、設定したアカウント名で電子メールやオンラインストレージなどのサービスを携帯端末１０で使用することがある。このように、サービスを利用するためのアカウント名が携帯端末１０に設定されている場合、例えば、画面のロックが解除された後にアカウント名が変更された場合には、制御部１０１は、遠隔初期化機能を無効とするようにしてもよい。この変形例によれば、窃盗されてＳＩＭ１０９が差し替えられた携帯端末１０は、サービスを利用するためのアカウント名が本来のユーザのアカウント名から変更されると初期化を行わないため、携帯端末１０を窃盗した者は、携帯端末１０の初期化を行うことができず、本来の所有者以外による携帯端末１０の使用を防ぐことができる。
【００５３】
上述した実施形態においては、携帯端末１０は、スロット１０６に装着されたＳＩＭ１０９にアクセスする構成となっているが、携帯端末１０がＳＩＭにアクセスする構成は、実施形態の構成に限定されるものではない。例えば、ＳＩＭ１０９が装着されるスロットを有し、携帯端末１０と近距離無線通信を行うデバイスに対して、携帯端末１０は、通信部１０５を介してアクセスし、ＳＩＭ１０９に対して情報の授受を行う構成としてもよい。なお、このデバイスにおいては、スロットを複数有し、スロットに装着された複数のＳＩＭ１０９の中から携帯端末１０からアクセス可能なＳＩＭ１０９を選択できるようにしてもよい。
【００５４】
上述した実施形態では、初期化アプリが実行されることにより、ステップＳＡ１からステップＳＡ３までの処理が実行されるが、ＳＩＭ１０９が装着された後、初めて電源をオンとするときに自動的にステップＳＡ１からステップＳＡ３までの処理を実行するようにしてもよい。この変形例の場合、ステップＳＡ３の処理が実行された後は、初期化アプリが常駐するようにし、常駐の状態となった後は、電源がオフからオンになるときに初期化アプリが自動的に実行されるようにしてもよい。
【００５５】
上述した機能ブロック（構成部）は、ハードウェアおよび／またはソフトウェアの任意の組み合わせによって実現される。また、各機能ブロックの実現手段は特に限定されない。すなわち、各機能ブロックは、物理的および／または論理的に結合した１つの装置により実現されてもよいし、物理的および／または論理的に分離した２つ以上の装置を直接的および／または間接的に（例えば、有線および／または無線）で接続し、これら複数の装置により実現されてもよい。例えば、本発明の一実施形態における携帯端末１０は、本発明の処理を行うコンピュータとして機能してもよい。なお、本明細書においては、「装置」という文言は、回路、デバイス、ユニットなどに読み替えることができる。携帯端末１０のハードウェア構成は、各装置を１つまたは複数含むように構成されてもよいし、一部の装置を含まずに構成されてもよい。
【００５６】
また、制御部１０１は、プログラム（プログラムコード）、ソフトウェアモジュールやデータを、記憶部１０２および／または通信部１０５からＲＡＭに読み出し、これらに従って各種の処理を実行する。プログラムとしては、上述の実施の形態で説明した動作の少なくとも一部をコンピュータに実行させるプログラムが用いられる。例えば、携帯端末１０の制御部１０１は、ＲＡＭに格納され、ＣＰＵで動作する制御プログラムによって実現されてもよく、他の機能ブロックについても同様に実現されてもよい。上述の各種処理は、１つのＣＰＵで実行される旨を説明してきたが、２以上のプロセッサＣＰＵにより同時または逐次に実行されてもよい。制御部１０１は、１以上のチップで実装されてもよい。なお、プログラムは、電気通信回線を介してネットワークから送信されても良い。
【００５７】
ＲＡＭは、レジスタ、キャッシュ、メインメモリ（主記憶装置）などと呼ばれてもよい。ＲＡＭは、本発明の一実施形態に係る機能を実施するために実行可能なプログラム（プログラムコード）、ソフトウェアモジュールなどを保存することができる。
【００５８】
また、携帯端末１０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部または全てが実現されてもよい。例えば、制御部１０１は、これらのハードウェアの少なくとも１つで実装されてもよい。
【００５９】
記憶部１０２は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク（例えば、コンパクトディスク、デジタル多用途ディスク、Ｂｌｕ−ｒａｙ（登録商標）ディスク、スマートカード、フラッシュメモリ（例えば、カード、スティック、キードライブ）、フロッピー（登録商標）ディスク、磁気ストリップなどの少なくとも１つで構成されてもよい。記憶部１０２は、補助記憶装置と呼ばれてもよい。
【００６０】
制御部１０１は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部または全てが実現されてもよい。例えば、制御部１０１は、これらのハードウェアの少なくとも１つで実装されてもよい。
【００６１】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステムおよび／またはこれらに基づいて拡張された次世代システムに適用されてもよい。
【００６２】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００６３】
入出力された情報（データ）等は特定の場所（例えば、メモリ）に保存されてもよいし、管理テーブルで管理してもよい。入出力される情報（データ）等は、上書き、更新、または追記され得る。出力された情報等は削除されてもよい。入力された情報等は他の装置へ送信されてもよい。
【００６４】
判定は、１ビットで表される値（０か１か）によって行われてもよいし、真偽値（Boolean：trueまたはfalse）によって行われてもよいし、数値の比較（例えば、所定の値との比較）によって行われてもよい。
【００６５】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００６６】
プログラムは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６７】
また、プログラム、命令などは、伝送媒体を介して送受信されてもよい。例えば、ソフトウェアが、同軸ケーブル、光ファイバケーブル、ツイストペアおよびデジタル加入者回線（ＤＳＬ）などの有線技術および／または赤外線、無線およびマイクロ波などの無線技術を使用してウェブサイト、サーバ、または他のリモートソースから送信される場合、これらの有線技術および／または無線技術は、伝送媒体の定義内に含まれる。
【００６８】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。なお、本明細書で説明した用語および／または本明細書の理解に必要な用語については、同一のまたは類似する意味を有する用語と置き換えてもよい。
本明細書で使用する「システム」および「ネットワーク」という用語は、互換的に使用される。
【００６９】
携帯端末１０は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００７０】
本明細書で使用する「判断（determining）」、「決定（determining）」という用語は、多種多様な動作を包含する場合がある。「判断」、「決定」は、例えば、判定（judging）、計算（calculating）、算出（computing）、処理（processing）、導出（deriving）、調査（investigating）、探索（looking up）（例えば、テーブル、データベースまたは別のデータ構造での探索）、確認（ascertaining）した事を「判断」「決定」したとみなす事などを含み得る。また、「判断」、「決定」は、受信（receiving）（例えば、情報を受信すること）、送信（transmitting）（例えば、情報を送信すること）、入力（input）、出力（output）、アクセス（accessing）（例えば、メモリ中のデータにアクセスすること）した事を「判断」「決定」したとみなす事などを含み得る。また、「判断」、「決定」は、解決（resolving）、選択（selecting）、選定（choosing）、確立（establishing）、比較（comparing）などした事を「判断」「決定」したとみなす事を含み得る。つまり、「判断」「決定」は、何らかの動作を「判断」「決定」したとみなす事を含み得る。
【００７１】
「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的なものであっても、論理的なものであっても、あるいはこれらの組み合わせであってもよい。本明細書で使用する場合、２つの要素は、１またはそれ以上の電線、ケーブルおよび／またはプリント電気接続を使用することにより、並びにいくつかの非限定的かつ非包括的な例として、無線周波数領域、マイクロ波領域および光（可視および不可視の両方）領域の波長を有する電磁エネルギーなどの電磁エネルギーを使用することにより、互いに「接続」または「結合」されると考えることができる。
【００７２】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００７３】
「含む（ｉｎｃｌｕｄｉｎｇ）」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００７４】
以上、本発明について詳細に説明したが、当業者にとっては、本発明が本明細書中に説明した実施形態に限定されるものではないということは明らかである。本発明は、特許請求の範囲の記載により定まる本発明の趣旨および範囲を逸脱することなく修正および変更態様として実施することができる。したがって、本明細書の記載は、例示説明を目的とするものであり、本発明に対して何ら制限的な意味を有するものではない。
【符号の説明】
【００７５】
１…通信システム、２…通信網、１０…携帯端末、２０…サーバ装置、３０…ＰＣ、１０１…制御部、１０２…記憶部、１０３…タッチパネル、１０５…通信部、１０６…スロット、１０７…音声処理部、１０８…測位部、１０９…ＳＩＭ、２０１…制御部、２０２…記憶部、２０５…通信部、１００１…認証部、１００２…設定部、１００３…初期化部、２００１…認証部、２００２…メッセージ送信部。
【図１】
2018093294.tif 000003
【図２】
2018093294.tif 000004
【図３】
2018093294.tif 000005
【図４】
2018093294.tif 000006
【図５】
2018093294.tif 000007
【図６】
2018093294.tif 000008
【図７】
2018093294.tif 000009
【図８】
2018093294.tif 000010
【図９】
2018093294.tif 000011